(57)【特許請求の範囲】
【請求項１】
第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するために、
複数の前記第１ストランドのうち一部を第１接続用ストランドとして残して前記第１ストランドの他の部分を前記第１ワイヤロープの端から所定長さの第１切断部で前記第１芯綱を残したまま切断除去する工程と、
複数の前記第２ストランドのうち一部を第２接続用ストランドとして残して前記第２ストランドの他の部分を前記第２ワイヤロープの端から所定長さの第２切断部で前記第２芯綱とともに切断除去する工程と、
前記第１芯綱上で前記第１接続用ストランド及び前記第２接続用ストランドを沿わせて重ねる工程と、
前記第１切断部で前記第１ストランドを前記第１芯綱とともに第１切断部圧着スリーブで圧着し、前記第２切断部で前記第２ストランドを前記第２芯綱とともに第２切断部圧着スリーブで圧着する工程と、
前記第１接続用ストランドの端で前記重ね合わせた第１接続用ストランド及び第２接続用ストランドを前記第１芯綱とともに第１接続用圧着スリーブで圧着し、前記第２接続用ストランドの端で前記重ね合わせた第１接続用ストランド及び第２接続用ストランドを前記第１芯綱とともに第２接続用圧着スリーブで圧着させて前記第１ワイヤロープ及び前記第２ワイヤロープを互いに締結する工程とを備え、
前記第１切断部圧着スリーブと前記第２接続用圧着スリーブとの間の距離及び前記第２切断部圧着スリーブと前記第１接続用圧着スリーブとの間の距離を前記第１ワイヤロープ及び前記第２ワイヤロープ締結後の接続部がシーブの外周に沿ってなだらかに曲がり得るような距離となるようにしたことを特徴とするワイヤロープ接続方法。
【請求項２】
第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するために、
複数の前記第１ストランドのうち一部を第１接続用ストランドとして残して前記第１ストランドの他の部分を前記第１ワイヤロープの端から所定長さの第１切断部で切断除去する工程と、
複数の前記第２ストランドのうち一部を第２接続用ストランドとして残して前記第２ストランドの他の部分を前記第２ワイヤロープの端から所定長さの第２切断部で切断除去する工程と、
前記第１芯綱を前記第１接続用ストランドの端及び前記第１切断部の間の第１芯綱切断部で切断除去する工程と、
前記第２芯綱を前記第２接続用ストランドの端及び前記第２切断部の間の第２芯綱切断部で切断除去する工程と、
前記第１接続用ストランド及び前記第２接続用ストランドを前記第１芯綱上及び前記第２芯綱上のそれぞれに沿わして重ねる工程と、
前記第１切断部で前記第１ストランドを前記第１芯綱とともに第１切断部圧着部材で圧着し、前記第２切断部で前記第２ストランドを前記第２芯綱とともに第２切断部圧着部材で圧着する工程と、
前記重ね合わした第１接続用ストランド及び第２接続用ストランドを第１接続用ストランドの端で前記第２芯綱とともに第１接続用圧着部材で圧着し、前記重ね合わした第１接続用ストランド及び第２接続用ストランドを第２接続用ストランドの端で前記第１芯綱とともに第２接続用圧着部材で圧着させて前記第１ワイヤロープ及び前記第２ワイヤロープを互いに締結する工程とを備え、
前記第１切断部圧着部材と前記第２接続用圧着部材との間の距離及び前記第２切断部圧着部材と前記第１接続用圧着部材との間の距離を前記第１ワイヤロープ及び前記第２ワイヤロープ締結後の接続部がシーブの外周に沿ってなだらかに曲がり得るような距離となるようにしたことを特徴とするワイヤロープ接続方法。
【請求項３】
前記距離は、４０ｍｍ〜７０ｍｍであることを特徴とする請求項１又は請求項２に記載のワイヤロープ接続方法。
【請求項４】
前記接続用ストランドの本数が各ワイヤロープのストランドの本数の約半分である請求項１乃至請求項３の何れかに記載のワイヤロープ接続方法。
【請求項５】
第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するためのワイヤロープ接続部であって、
複数の前記第１ストランドの一部の切断箇所である第１切断部から所定長さだけ延びた第１接続用ストランドと、
複数の前記第２ストランドの一部及び前記第２芯綱の切断箇所である第２切断部から所定長さだけ延びた第２接続用ストランドと、
前記第１切断部で前記第１ストランド及び前記第１芯綱を圧着固定した第１切断部圧着スリーブと、
前記第２切断部で前記第２ストランド及び前記第２芯綱を圧着固定した第２切断部圧着スリーブと、
前記第１接続用ストランドの端で前記第１接続用ストランド及び前記第２接続用ストランドを前記第１芯綱とともに圧着固定した第１接続用圧着スリーブと、
前記第２接続用ストランドの端で前記第１接続用ストランド及び前記第２接続用ストランドを前記第１芯綱とともに圧着固定した第２接続用圧着スリーブとを有し、
前記第１接続用ストランド及び前記第２接続用ストランドは、それぞれ前記第１芯綱上に重なるとともに互いの接続用ストランドに沿って重ねられており、
前記第１切断部圧着スリーブと前記第２接続用圧着スリーブとの間の距離及び前記第２切断部圧着スリーブと前記接続用圧着スリーブとの間の距離は、前記接続部がシーブの外周に沿ってなだらかに曲がるようにするために必要な距離であることを特徴とするワイヤロープ接続部。
【請求項６】
第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するためのワイヤロープ接続部であって、
複数の前記第１ストランドの一部の切断箇所である第１切断部から所定長さだけ延びた第１接続用ストランドと、
複数の前記第２ストランドの一部の切断箇所である第２切断部から所定長さだけ延びた第２接続用ストランドと、
前記第１接続用ストランドの端及び前記第１切断部の間に端部を有する前記第１芯綱と、
前記第２接続用ストランドの端及び前記第２切断部の間に端部を有する前記第２芯綱と、
前記第１切断部で前記第１ストランド及び前記第１芯綱を圧着固定した第１切断部圧着部材と、
前記第２切断部で前記第２ストランド及び前記第２芯綱を圧着固定した第２切断部圧着部材と、
前記第１接続用ストランドの端で前記第１接続用ストランド及び前記第２接続用ストランドを前記第２芯綱とともに圧着固定した第１接続用圧着部材と、
前記第２接続用ストランドの端で前記第１接続用ストランド及び前記第２接続用ストランドを前記第１芯綱とともに圧着固定した第２接続用圧着部材とを有し、
前記第１接続用ストランド及び前記第２接続用ストランドは、それぞれ前記第２芯綱上及び前記第１芯綱上のそれぞれに重なるとともに互いの接続用ストランドに沿って重ねられており、
前記第１切断部圧着部材と前記第２接続用圧着部材との間の距離及び前記第２切断部圧着部材と前記接続用圧着部材との間の距離は、前記接続部がシーブの外周に沿ってなだらかに曲がるようにするために必要な距離であることを特徴とするワイヤロープ接続部。
【発明の詳細な説明】
【０００１】
【発明の属する技術分野】
この発明は、ワイヤロープの接続方法に関し、特にエレベータの主ロープの取り換え時に用いるのに適したワイヤロープの接続方法に関するものである。
【０００２】
【従来の技術】
エレベータには巻き上げ用のいわゆる主ロープを始め、ガバナ用、コンペンセイション用等の多くのワイヤロープが用いられている。これらのワイヤロープの取り換え作業時には、新旧ロープの端末を互いに接続して、ロープの移動経路に沿って移動させ、旧ロープを回収しつつ新ロープを繰り出して新旧ロープを置き換えるのである。
【０００３】
例えば、図６に示すようなエレベータの主ロープを取り換える場合、かご１及びつり合いおもり２を固定器具によって固定した後、主ロープ３を図中のＡ点で切断する。この二分された主ロープ３をそれぞれについて新ロープと置き換える作業をする。即ち、切断された一方の主ロープ３ａの切断部Ａに新ロープの一端を接続し、主ロープ３ａを回収しながら新ロープを繰り出して主ロープ３ａを新ロープに置き換えた後に、切断された他方の主ロープ３ｂの切断部Ａに置き換えられた新ロープの他端を接続して同様に主ロープ３ｂを回収しつつ新ロープを繰り出して新ロープに置き換えることにより、主ロープ３全部を新ロープに置き換えるのである。従って、主ロープ３を新ロープに置き換える際には、新旧ロープの接続部が多数のシーブ４を通過することになる。
【０００４】
従来、このような新旧ロープの接続を確実に行うために図８に概略的に示すような接続方法を用いていた。即ち、新ロープ１１と旧ロープ１２とのそれぞれの端部から、１本あるいは２本（図示の例では２本）のストランド１１ａ、１２ａを残して他のストランドを切断し、切断部はワイヤ１１ｂ、１２ｂで締結してストランドがほぐれないようにする。切断されずに残ったそれぞれ２本のストランド１１ａ、１２ａは、互いに絡ませて折り曲げて折り曲げ部分１１ｃ、１２ｃを形成し、折り曲げ部分１１ｃ、１２ｃの端部をワイヤ１１ｄ、１２ｄで縛って締結し、新ロープ１１と旧ロープ１２との接続を完了させるのである。
【０００５】
【発明が解決しようとする課題】
このような従来の接続方法に於いては、残したストランド１１ａ、１２ａを互いに絡ませて折り曲げてワイヤで緊縛するので、接続部が大きく膨らんでその外径が新旧ロープ１１、１２の外径よりも大きくなってしまう。このため、接続した新旧ロープ１１、１２の大きな接続部が、置き換え移動の際に通されるロープ移動経路内のロープガイドやシーブ溝等の他の機器あるいは他の部分に接触し、噛んだり、引っ掛かったり、損傷を与えたりするおそれがあった。即ち、図７はシーブの部分断面図であるが、図７に示すように、主ロープ３がシーブ溝から外れるのを防止するために主ロープ外れ止め５とシーブ４との間隔ｄをロープ径Ｄより小さくしているので、少しでも接続部でロープが浮き上がると主ロープ外れ止め５に引っ掛かり、ロープだけでなくシーブ４や主ロープ外れ止め５にも損傷を与える虞があった。特に、かご１の底部に設けられているシーブ４では、主ロープが下側を回っているため、新旧ロープ接続部がロープの重さにより下方に落ちる速度が他方で引き上げる速度に比べて大きくなり易く、接続部で急激に折れ曲がったりしてシーブ４から外れる確率が大きく、これを防ぐために、ロープ移動経路の機器を分解したり取り外したり、またロープ移動も注意深く行わねばならなかった。
【０００６】
また、残したストランド１１ａ、１２ａの絡ませ方、折り曲げ方、更にはワイヤによる緊縛の仕方に熟練技術が必要で困難であり、信頼性の高い接続部を形成するのが困難であった。接続部が適切に形成されていない場合には、接続部が外れてしまったり、ロープ移動経路に損傷を与えたりすることさえある。
【０００７】
従って、この発明の課題は上述のような従来のワイヤロープ接続方法の問題点を解消することであり、またロープ接続部を容易に形成し得て、接続部の外径が小さく、充分な引っ張り強度を持ち、容易にはシーブ溝から外れることのないワイヤロープ接続方法を得ることである。
【０００８】
【課題を解決するための手段】
この発明によれば、上述の課題を解決するための手段は次の通りである。
（１）請求項１に係るワイヤロープ接続方法は、第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するために、複数の前記第１ストランドのうち一部を第１接続用ストランドとして残して前記第１ストランドの他の部分を前記第１ワイヤロープの端から所定長さの第１切断部で前記第１芯綱を残したまま切断除去する工程と、複数の前記第２ストランドのうち一部を第２接続用ストランドとして残して前記第２ストランドの他の部分を前記第２ワイヤロープの端から所定長さの第２切断部で前記第２芯綱とともに切断除去する工程と、前記第１芯綱上で前記第１接続用ストランド及び前記第２接続用ストランドを沿わせて重ねる工程と、前記第１切断部で前記第１ストランドを前記第１芯綱とともに第１切断部圧着スリーブで圧着し、前記第２切断部で前記第２ストランドを前記第２芯綱とともに第２切断部圧着スリーブで圧着する工程と、前記第１接続用ストランドの端で前記重ね合わせた第１接続用ストランド及び第２接続用ストランドを前記第１芯綱とともに第１接続用圧着スリーブで圧着し、前記第２接続用ストランドの端で前記重ね合わせた第１接続用ストランド及び第２接続用ストランドを前記第１芯綱とともに第２接続用圧着スリーブで圧着させて前記第１ワイヤロープ及び前記第２ワイヤロープを互いに締結する工程とを備え、前記第１切断部圧着スリーブと前記第２接続用圧着スリーブとの間の距離及び前記第２切断部圧着スリーブと前記第１接続用圧着スリーブとの間の距離を前記第１ワイヤロープ及び前記第２ワイヤロープ締結後の接続部がシーブの外周に沿ってなだらかに曲がり得るような距離となるようにしたものである。
【０００９】
（２）請求項２に係るワイヤロープ接続方法は、第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するために、複数の前記第１ストランドのうち一部を第１接続用ストランドとして残して前記第１ストランドの他の部分を前記第１ワイヤロープの端から所定長さの第１切断部で切断除去する工程と、複数の前記第２ストランドのうち一部を第２接続用ストランドとして残して前記第２ストランドの他の部分を前記第２ワイヤロープの端から所定長さの第２切断部で切断除去する工程と、前記第１芯綱を前記第１接続用ストランドの端及び前記第１切断部の間の第１芯綱切断部で切断除去する工程と、前記第２芯綱を前記第２接続用ストランドの端及び前記第２切断部の間の第２芯綱切断部で切断除去する工程と、前記第１接続用ストランド及び前記第２接続用ストランドを前記第１芯綱上及び前記第２芯綱上のそれぞれに沿わして重ねる工程と、前記第１切断部で前記第１ストランドを前記第１芯綱とともに第１切断部圧着部材で圧着し、前記第２切断部で前記第２ストランドを前記第２芯綱とともに第２切断部圧着部材で圧着する工程と、前記重ね合わした第１接続用ストランド及び第２接続用ストランドを第１接続用ストランドの端で前記第２芯綱とともに第１接続用圧着部材で圧着し、前記重ね合わした第１接続用ストランド及び第２接続用ストランドを第２接続用ストランドの端で前記第１芯綱とともに第２接続用圧着部材で圧着させて前記第１ワイヤロープ及び前記第２ワイヤロープを互いに締結する工程とを備え、前記第１切断部圧着部材と前記第２接続用圧着部材との間の距離及び前記第２切断部圧着部材と前記第１接続用圧着部材との間の距離を前記第１ワイヤロープ及び前記第２ワイヤロープ締結後の接続部がシーブの外周に沿ってなだらかに曲がり得るような距離となるようにしたものである。
【００１０】
（３）前記距離は、４０ｍｍ〜７０ｍｍであるものである。
【００１１】
（４）前記接続用ストランドの本数が各ワイヤロープのストランドの本数の約半分であるものである。
【００１２】
（５）請求項５に係るワイヤロープ接続部は、第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するためのワイヤロープ接続部であって、複数の前記第１ストランドの一部の切断箇所である第１切断部から所定長さだけ延びた第１接続用ストランドと、複数の前記第２ストランドの一部及び前記第２芯綱の切断箇所である第２切断部から所定長さだけ延びた第２接続用ストランドと、前記第１切断部で前記第１ストランド及び前記第１芯綱を圧着固定した第１切断部圧着スリーブと、前記第２切断部で前記第２ストランド及び前記第２芯綱を圧着固定した第２切断部圧着スリーブと、前記第１接続用ストランドの端で前記第１接続用ストランド及び前記第２接続用ストランドを前記第１芯綱とともに圧着固定した第１接続用圧着スリーブと、前記第２接続用ストランドの端で前記第１接続用ストランド及び前記第２接続用ストランドを前記第１芯綱とともに圧着固定した第２接続用圧着スリーブとを有し、前記第１接続用ストランド及び前記第２接続用ストランドは、それぞれ前記第１芯綱上に重なるとともに互いの接続用ストランドに沿って重ねられており、前記第１切断部圧着スリーブと前記第２接続用圧着スリーブとの間の距離及び前記第２切断部圧着スリーブと前記接続用圧着スリーブとの間の距離は、前記接続部がシーブの外周に沿ってなだらかに曲がるようにするために必要な距離であるものである。
【００１３】
（６）請求項６に係るワイヤロープ接続部は、第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するためのワイヤロープ接続部であって、複数の前記第１ストランドの一部の切断箇所である第１切断部から所定長さだけ延びた第１接続用ストランドと、複数の前記第２ストランドの一部の切断箇所である第２切断部から所定長さだけ延びた第２接続用ストランドと、前記第１接続用ストランドの端及び前記第１切断部の間に端部を有する前記第１芯綱と、前記第２接続用ストランドの端及び前記第２切断部の間に端部を有する前記第２芯綱と、前記第１切断部で前記第１ストランド及び前記第１芯綱を圧着固定した第１切断部圧着部材と、前記第２切断部で前記第２ストランド及び前記第２芯綱を圧着固定した第２切断部圧着部材と、前記第１接続用ストランドの端で前記第１接続用ストランド及び前記第２接続用ストランドを前記第２芯綱とともに圧着固定した第１接続用圧着部材と、前記第２接続用ストランドの端で前記第１接続用ストランド及び前記第２接続用ストランドを前記第１芯綱とともに圧着固定した第２接続用圧着部材とを有し、前記第１接続用ストランド及び前記第２接続用ストランドは、それぞれ前記第２芯綱上及び前記第１芯綱上のそれぞれに重なるとともに互いの接続用ストランドに沿って重ねられており、前記第１切断部圧着部材と前記第２接続用圧着部材との間の距離及び前記第２切断部圧着部材と前記接続用圧着部材との間の距離は、前記接続部が綱車の外周に沿ってなだらかに曲がるようにするために必要な距離であるものである。
【００１４】
【発明の実施の形態】
実施の形態１．
図１には本発明の実施の形態１に係るワイヤロープ接続方法の一工程を概略図で示し、図２には本発明の実施の形態１に係るワイヤロープ接続方法により完成したワイヤロープ接続部を概略図で示し、図５には本発明の各実施の形態に係るワイヤロープ接続方法に用いるのに適したハンデイプレスを示してある。
【００１５】
図１に於いて、新ロープ２１は芯綱２２の周囲に配置された複数（例えば８本）の第１ストランド２３を有する第１ワイヤロープであり、旧ロープ２４は同様に芯綱２５の周囲に配置された複数（例えば８本）の第２ストランド２６を有する第２ワイヤロープである。これらの新ロープ２１と旧ロープ２４とを互いに接続するために、新ロープ２１の複数の第１ストランド２３のうちの一部、望ましくは周方向に隣接した約半数（例えば４本）の第１ストランド２３だけを残して、選択した第１ストランド２３（例えば４本）を第１ワイヤロープ２１の端から例えば７００ｍｍだけロープからほぐして一本ずつ独立させる。次にこの第１ストランド２３を接続部を形成するのに必要な長さ、例えば５００ｍｍの所定長さだけ切断部２３ｂで切断して取り除く。切断されずに残された４本の第１接続用ストランド２３ａは再び芯綱２２の周囲に沿って撚り戻されて第１ワイヤロープ１の一部となるようにする。
【００１６】
旧ロープ２４の複数の第２ストランド２６のうちの一部、望ましくは周方向に隣接した約半数（例えば４本）の第２接続用ストランド２６ａだけを残して、選択した第２ストランド２６（例えば４本）を第２ワイヤロープ２４の端から例えば７００ｍｍだけロープからほぐして一本ずつ独立させる。次にこの第２ストランド２６を接続部を形成するのに必要な長さ、例えば５００ｍｍの所定長さだけ切断して切断部２６ｂで取り除く。このとき第２ストランド２６と共に芯綱２５も同じ位置で切断して取り除くので、切断されずに残された４本の第２接続用ストランド２６ａだけが残ることになる。
【００１７】
次に、このようにして第２ワイヤロープ２４の端部に残された第２接続用ストランド２６ａを、第１ワイヤロープ２１の端部に残された第１接続用ストランド２３ａに沿って重ね合わせられるように第１ワイヤロープ２１の芯綱２２に巻き付ける。このとき、第１接続用ストランド２３ａの端と第２ストランドの切断部２６ｂとの距離及び第２接続用ストランド２６ａの端と第１ストランドの切断部２３ｂとの距離を４０〜７０ｍｍほど開けておく。
【００１８】
次に、予め新旧ロープ２１あるいは２４に２本ずつ嵌めてあったアルミニウム、真鍮等の圧着スリーブ２７をずらして移動させ、図２に示すように、それぞれ第１ストランド２３の切断部２３ｂに重なる位置と、第１ワイヤロープ２１に残された第１接続用ストランド２３ａの端に重なる位置と、第２ストランド２６の切断部２６ｂに重なる位置と、第２ワイヤロープ２４に残された第２接続用ストランド２６ａの端に重なる位置とに配置する。それから圧着スリーブ２７をそれぞれの位置で、図５に示す如きハンデイプレス３０を用いて、圧着する。この結果、圧着スリーブ２７は、第１接続用ストランド２３ａ及び第２接続用ストランド２６ａの端で、互いにまた芯綱２２に重ねられた第１接続用ストランド２３ａ及び第２接続用ストランド２６ａ上に圧着させられて、第１ワイヤロープ２１および第２ワイヤロープ２４が互いに接続され、締結される。
【００１９】
図５に示すハンデイプレス３０は、フレーム３１に取り付けられた油圧シリンダ３２をハンドル３３によって操作される手動ポンプ３４によって作動させ、顎部３５の開口部に装着した円筒面を持つダイス３６を開閉させるものである。このようなハンデイプレス３０を用いて圧着スリーブ２７に大きな圧力を加えれば、圧着スリーブ２７は外周面はダイス３６の円筒面となるが、内周面は塑性変形してワイヤロープの外径を形成する円と第１接続用及び第２接続用ストランド２３ａ及び２６ａとの間に形成される空間内に圧入充填されて圧着される。例えば約３０ｔの圧力を加えると十分な圧着強度が得られる。ロープ接続部の外径とロープ径との差は、ワイヤロープの外径に拘わらず、０．７ｍｍ〜２．０ｍｍの範囲とすべきである。この直径の差がこの範囲よりも小さいと圧着スリーブ２７の厚さが充分でなく圧着スリーブの強度が弱く割れが生じたりし、またこの範囲よりも大きいとロープ交換時のロープ移動経路の通過が滑らかに行われなくなる。
【００２０】
このような方法で接続すれば、ロープ接続部の外径があまり大きくならないので、新旧ロープの取り換えの際に、ロープガイドやシーブ溝等の機器、部分に損傷を与えることもなくスムーズにロープを送り出すことができ、また、第１接続用ストランド２３ａの端と第２ストランドの切断部２６ｂとにそれぞれ圧着スリーブ２７で固着し、また、第２接続用ストランド２６ａと第１ストランドの切断部２３ｂとにもそれぞれ圧着スリーブ２７で固着しており、これら圧着スリーブ２７の間に一定の距離Ｌを設けたので、圧着スリーブ２７の固着によってロープが硬くなって棒状となることを防ぎ、シーブに沿って滑らかに曲がるロープ接続部を形成できる。さらに、芯綱をロープ接続部の中にも残したことにより、ロープを押して送り出す際にロープ接続部が折れ曲がって盛り上がることによるロープのシーブ溝からの外れがなくなり、しなやかにシーブ溝に沿ってロープを送り出せる。
【００２１】
なお、これら圧着スリーブ２７の距離Ｌは、ロープを送り出す際に、ロープ接続部がしなやかにシーブに沿って曲がればよいので、ロープの材質や径、シーブの径やその溝の大きさ及びスリーブの材質や圧着強度などにより調整すればよいが、一般的なエレベータに用いるロープの場合は４０〜７０ｍｍが適当である。圧着スリーブ２７の距離Ｌがこの範囲より大きいとロープの折れ曲がりが起こり、小さいとシーブに沿って曲がらなくなり不適当である。
【００２２】
実施の形態２．
図３には本発明の実施の形態２に係るワイヤロープ接続方法の一工程を概略図で示し、図４には本発明の実施の形態２に係るワイヤロープ接続方法により完成したワイヤロープ接続部を概略図で示してある。
【００２３】
図３に於いて、第１接続用ストランド２３ａの端と第１ストランドの切断部２３ｂとの間の切断部２２ａで芯綱２２を切断し、第２接続用ストランド２６ａの端と第２ストランドの切断部２６ｂとの間の切断部２５ａで芯綱２５を切断する。そして、第１接続用ストランド２３ａ及び第２接続用ストランド２６ａを芯綱２２及び芯綱２５に沿わせて重ね合わせる。この重ね合わせられたストランドを第１接続用ストランド２３ａの端及び第２接続用ストランド２６ａの端でそれぞれ第２芯綱２５及び第１芯綱２２とともに圧着スリーブ２７で圧着し、第１ストランド及び第２ストランドのそれぞれの切断部２３ｂ及び２６ｂにも圧着スリーブ２７で圧着する。このとき、第１接続用ストランド２３ａの端及び第２ストランド２６の切断部２６ｂに圧着された各圧着スリーブ２７の距離Ｌ、第２接続用ストランド２６ａの端及び第１ストランド２３の切断部２３ｂに圧着された各圧着スリーブ２７の距離Ｌは４０〜７０ｍｍにしておき、実施の形態１と同様に接続して、図４の状態の接続部とする。
【００２４】
芯綱２２及び２５の切断部２２ａ及び２５ａの間隔は小さいことが望ましいが、接続部がシーブに沿ってしなやかに曲がる範囲内であれば、作業を容易にするためにある程度の間隔をとっても構わない。
【００２５】
なお、芯綱２２の切断部２２ａ及び芯綱２５の切断部２５ａは接続部の均等をとるためにそれぞれ第１接続用ストランド２３ａ及び第２接続用ストランド２６ａの約半分の位置とするのがよいが、接続部の第１接続用ストランド２３ａ及び第２接続用ストランド２６ａの内側に芯綱２２及び芯綱２５が挿入されていれば、接続部がしなやかに曲がり上記問題点を解決できるので、一方の芯綱の切断部の位置がずれていても他方の芯綱の切断部の位置を一方の芯綱の切断部に応じて調整して、結果的に芯綱が接続部の内側に接続部がしなやかに曲がる程度に挿入されていればよい。
【００２６】
また、上記各実施の形態では、第１接続用ストランド２３ａの端及び第２接続用ストランド２６ａの端それぞれに圧着された圧着スリーブ２７の距離は接続部がしなやかに曲がる程度であればどのような間隔でも構わない。
【００２７】
このような接続方法により接続部を形成すれば、実施の形態１と同様な効果を奏するとともに、作業が容易になり、完成した接続部の外径が極端に変化することもなく、また、接続部のどの部分においても引っ張りや曲げ強度が極端に変化することはない。
【００２８】
また、上記各実施の形態では接続部自体が芯綱にストランドが巻き付けられているので、芯綱とストランドとの間の摩擦力により接続強度が大きい接続部を得ることができる。
【００２９】
【発明の効果】
以上の説明から明らかな通り、この発明の効果は次の通りである。
（１）請求項１に係るワイヤロープ接続方法は、第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するために、複数の前記第１ストランドのうち一部を第１接続用ストランドとして残して前記第１ストランドの他の部分を前記第１ワイヤロープの端から所定長さの第１切断部で前記第１芯綱を残したまま切断除去する工程と、複数の前記第２ストランドのうち一部を第２接続用ストランドとして残して前記第２ストランドの他の部分を前記第２ワイヤロープの端から所定長さの第２切断部で前記第２芯綱とともに切断除去する工程と、前記第１芯綱上で前記第１接続用ストランド及び前記第２接続用ストランドを沿わせて重ねる工程と、前記第１切断部で前記第１ストランドを前記第１芯綱とともに第１切断部圧着スリーブで圧着し、前記第２切断部で前記第２ストランドを前記第２芯綱とともに第２切断部圧着スリーブで圧着する工程と、前記第１接続用ストランドの端で前記重ね合わせた第１接続用ストランド及び第２接続用ストランドを前記第１芯綱とともに第１接続用圧着スリーブで圧着し、前記第２接続用ストランドの端で前記重ね合わせた第１接続用ストランド及び第２接続用ストランドを前記第１芯綱とともに第２接続用圧着スリーブで圧着させて前記第１ワイヤロープ及び前記第２ワイヤロープを互いに締結する工程とを備え、前記第１切断部圧着スリーブと前記第２接続用圧着スリーブとの間の距離及び前記第２切断部圧着スリーブと前記第１接続用圧着スリーブとの間の距離を前記第１ワイヤロープ及び前記第２ワイヤロープ締結後の接続部がシーブの外周に沿ってなだらかに曲がり得るような距離となるようにしたので、ロープ接続作業が容易で、外径が大きくならなずに強度を確保し、折れ曲がらずにしなやかに曲がる接続部を形成するワイヤロープ接続方法を得ることができる。
【００３０】
（２）請求項２に係るワイヤロープ接続方法は、第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するために、複数の前記第１ストランドのうち一部を第１接続用ストランドとして残して前記第１ストランドの他の部分を前記第１ワイヤロープの端から所定長さの第１切断部で切断除去する工程と、複数の前記第２ストランドのうち一部を第２接続用ストランドとして残して前記第２ストランドの他の部分を前記第２ワイヤロープの端から所定長さの第２切断部で切断除去する工程と、前記第１芯綱を前記第１接続用ストランドの端及び前記第１切断部の間の第１芯綱切断部で切断除去する工程と、前記第２芯綱を前記第２接続用ストランドの端及び前記第２切断部の間の第２芯綱切断部で切断除去する工程と、前記第１接続用ストランド及び前記第２接続用ストランドを前記第１芯綱上及び前記第２芯綱上のそれぞれに沿わして重ねる工程と、前記第１切断部で前記第１ストランドを前記第１芯綱とともに第１切断部圧着部材で圧着し、前記第２切断部で前記第２ストランドを前記第２芯綱とともに第２切断部圧着部材で圧着する工程と、前記重ね合わした第１接続用ストランド及び第２接続用ストランドを第１接続用ストランドの端で前記第２芯綱とともに第１接続用圧着部材で圧着し、前記重ね合わした第１接続用ストランド及び第２接続用ストランドを第２接続用ストランドの端で前記第１芯綱とともに第２接続用圧着部材で圧着させて前記第１ワイヤロープ及び前記第２ワイヤロープを互いに締結する工程とを備え、前記第１切断部圧着部材と前記第２接続用圧着部材との間の距離及び前記第２切断部圧着部材と前記第１接続用圧着部材との間の距離を前記第１ワイヤロープ及び前記第２ワイヤロープ締結後の接続部がシーブの外周に沿ってなだらかに曲がり得るような距離となるようにしたので、ロープ接続作業が容易で、外径の変化が少なく、どの位置でも引っ張りや曲げ強度が変化せず、折れ曲がらずにしなやかに曲がる接続部を形成するワイヤロープ接続方法を得ることができる。
【００３１】
（３）前記距離は、４０ｍｍ〜７０ｍｍであるので、ロープ接続作業が容易で、折れ曲がらずにしなやかに曲がる接続部を形成するワイヤロープ接続方法を得ることができる。
【００３２】
（４）前記接続用ストランドの本数が各ワイヤロープのストランドの本数の約半分であるので、接続作業が容易になり、各ワイヤロープの接続強度を均等に保つ接続部を形成するワイヤロープ接続方法を得ることができる。
【００３３】
（５）請求項５に係るワイヤロープ接続部は、第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するためのワイヤロープ接続部であって、複数の前記第１ストランドの一部の切断箇所である第１切断部から所定長さだけ延びた第１接続用ストランドと、複数の前記第２ストランドの一部及び前記第２芯綱の切断箇所である第２切断部から所定長さだけ延びた第２接続用ストランドと、前記第１切断部で前記第１ストランド及び前記第１芯綱を圧着固定した第１切断部圧着スリーブと、前記第２切断部で前記第２ストランド及び前記第２芯綱を圧着固定した第２切断部圧着スリーブと、前記第１接続用ストランドの端で前記第１接続用ストランド及び前記第２接続用ストランドを前記第１芯綱とともに圧着固定した第１接続用圧着スリーブと、前記第２接続用ストランドの端で前記第１接続用ストランド及び前記第２接続用ストランドを前記第１芯綱とともに圧着固定した第２接続用圧着スリーブとを有し、前記第１接続用ストランド及び前記第２接続用ストランドは、それぞれ前記第１芯綱上に重なるとともに互いの接続用ストランドに沿って重ねられており、前記第１切断部圧着スリーブと前記第２接続用圧着スリーブとの間の距離及び前記第２切断部圧着スリーブと前記接続用圧着スリーブとの間の距離は、前記接続部がシーブの外周に沿ってなだらかに曲がるようにするために必要な距離であるので、ロープ接続作業が容易で、外径が大きくならなずに強度を確保し、折れ曲がらずにしなやかに曲がる接続部を得ることができる。
【００３４】
（６）請求項６に係るワイヤロープ接続部は、第１の複数のストランド及び前記第１ストランドにより覆われた第１芯綱を有する第１ワイヤロープと、第２の複数のストランド及び前記第２ストランドにより覆われた第２芯綱を有する第２ワイヤロープとを互いに接続するためのワイヤロープ接続部であって、複数の前記第１ストランドの一部の切断箇所である第１切断部から所定長さだけ延びた第１接続用ストランドと、複数の前記第２ストランドの一部の切断箇所である第２切断部から所定長さだけ延びた第２接続用ストランドと、前記第１接続用ストランドの端及び前記第１切断部の間に端部を有する前記第１芯綱と、前記第２接続用ストランドの端及び前記第２切断部の間に端部を有する前記第２芯綱と、前記第１切断部で前記第１ストランド及び前記第１芯綱を圧着固定した第１切断部圧着部材と、前記第２切断部で前記第２ストランド及び前記第２芯綱を圧着固定した第２切断部圧着部材と、前記第１接続用ストランドの端で前記第１接続用ストランド及び前記第２接続用ストランドを前記第２芯綱とともに圧着固定した第１接続用圧着部材と、前記第２接続用ストランドの端で前記第１接続用ストランド及び前記第２接続用ストランドを前記第１芯綱とともに圧着固定した第２接続用圧着部材とを有し、前記第１接続用ストランド及び前記第２接続用ストランドは、それぞれ前記第２芯綱上及び前記第１芯綱上のそれぞれに重なるとともに互いの接続用ストランドに沿って重ねられており、前記第１切断部圧着部材と前記第２接続用圧着部材との間の距離及び前記第２切断部圧着部材と前記接続用圧着部材との間の距離は、前記接続部が綱車の外周に沿ってなだらかに曲がるようにするために必要な距離であるので、ロープ接続作業が容易で、外径の変化が少なく、どの位置でも引っ張りや曲げ強度が変化せず、折れ曲がらずにしなやかに曲がる接続部を得ることができる。
【図面の簡単な説明】
【図１】  本発明の実施の形態１に係るワイヤロープ接続方法の一工程を示す概略図である。
【図２】  本発明の実施の形態１に係るワイヤロープ接続方法により完成したワイヤロープ接続部を示す概略図である。
【図３】  本発明の実施の形態２に係るワイヤロープ接続方法の一工程を示す概略図である。
【図４】  本発明の実施の形態２に係るワイヤロープ接続方法により完成したワイヤロープ接続部を示す概略図である。
【図５】  本発明の各実施の形態に係るワイヤロープ接続方法に用いるのに適したハンデイプレスを示す概略図である。
【図６】  従来のエレベータ装置の模式図である。
【図７】  従来のエレベータ装置に設けられたシーブの部分断面図である。
【図８】  従来のワイヤロープ接続方法により完成したワイヤロープ接続部を示す概略図である。
【符号の説明】
２１  第１ワイヤロープ、２２  芯綱、２３  第１ストランド、２３ａ  第１ストランド（接続用）、２３ｂ  切断部、２４  第２ワイヤロープ、２５  芯綱、２５ａ  切断部、２６  第２ストランド、２６ａ  第２ストランド（接続用）、２６ｂ  切断部、２７  圧着スリーブ、２２ａ  切断部、２５ａ  切断部、３０  ハンドプレス、Ｌ  圧着スリーブ間の距離。
【図１】
0004108917.tif 000002
【図２】
0004108917.tif 000003
【図３】
0004108917.tif 000004
【図４】
0004108917.tif 000005
【図５】
0004108917.tif 000006
【図６】
0004108917.tif 000007
【図７】
0004108917.tif 000008
【図８】
0004108917.tif 000009